(57)【要約】  無線通信するように構成された２つのデバイス（１、４）において警告信号を生成する方法において、停止している第１のデバイス（４）と第２のデバイス（１）とが接続されていることを示す可変要素（１８）、および／または、上記２つのデバイス間の距離によって影響を受ける可変要素（１０、１１）がモニタされる。接続されていることを示す可変要素（１８）が、接続が終了されたときの典型的な動作を示したとき、および／または、上記２つのデバイス間の距離によって影響を受ける可変要素（１０、１１）が、上記２つのデバイス間の距離が大きくなったときの典型的な動作を示したとき、ユーザに対して警告信号が出力される。
2007508627.tif 000002
【特許請求の範囲】
【請求項１】
２つのデバイス（１、４）のユーザに対して警告信号を生成する方法であって、
上記２つのデバイス（１、４）は、相互に無線通信するように構成されているとともに、第１のデバイス（４）は、ユーザと第２のデバイス（１）との間の入力および／または出力インターフェースとして機能するものであり、
ａ）停止している上記第１のデバイスと上記第２のデバイスとが接続していることを示す可変要素（１８）、および／または、停止している上記第１のデバイスと上記第２のデバイスとの間の距離によって影響を受ける可変要素（１０、１１）をモニタする工程と、
ｂ）接続していることを示す上記可変要素（１８）が、接続が終了したときの典型的な動作を示したとき、および／または、上記２つのデバイス間の距離によって影響を受ける上記可変要素（１０、１１）が、上記２つのデバイス間の距離が大きくなったときの典型的な動作を示したときに、上記ユーザに警告信号を出力する工程とを含むことを特徴とする方法。
【請求項２】
上記第１のデバイス（４）および上記第２のデバイス（１）は、無線ネットワークを介して相互に通信するように構成されていることを特徴とする請求項１に記載の方法。
【請求項３】
上記無線ネットワークによって、送信機としての上記第２のデバイス（１）と、受信機としての上記第１のデバイス（４）との信号伝送が可能になることを特徴とする請求項２に記載の方法。
【請求項４】
上記モニタする工程は、上記第１のデバイス（４）によって行われることを特徴とする請求項３に記載の方法。
【請求項５】
上記２つのデバイス間の距離によって影響を受ける上記可変要素（１０、１１）は、上記モニタデバイスが受信した信号強度、特に電界強度（１０）および／または信号品質、特にビット誤り率（１１）であることを特徴とする請求項２〜４のいずれか１項に記載の方法。
【請求項６】
上記２つのデバイス（１、４）間の距離が大きくなったときの典型的な動作は、上記信号強度の低下および／または上記信号品質の低下であることを特徴とする請求項５に記載の方法。
【請求項７】
上記警告信号を出力する工程は、上記第２のデバイス（１）によって行われることを特徴とする請求項２〜６のいずれか１項に記載の方法。
【請求項８】
上記警告信号を出力する工程は、上記第１のデバイス（４）によって行われることを特徴とする請求項３〜６のいずれか１項に記載の方法。
【請求項９】
上記工程（ｂ）の前に、
上記第１のデバイスと上記第２のデバイスとが接続していることを示す上記可変要素（１８）が、接続が終了したときの典型的な動作を示した場合、および／または、上記２つのデバイス間の距離によって影響を受ける上記可変要素（１０、１１）が、上記第１のデバイスと上記第２のデバイスとの間の距離が大きくなったときの典型的な動作を示した場合に、第３のデバイス、特に携帯電話への接続をセットアップする工程が行われ、
上記警告信号を出力する工程は、上記第３のデバイスによって行われることを特徴とする請求項２〜６のいずれか１項に記載の方法。
【請求項１０】
無線によって通信するように構成された上記デバイス（１、４）は、ブルートゥース規格に準拠して動作することを特徴とする請求項３〜９のいずれか１項に記載の方法。
【請求項１１】
ブルートゥース規格のＨＩＤプロファイルに準拠して、
上記第１のデバイス（４）は、ＨＩＤデバイスとして動作し、
上記第２のデバイス（１）は、ＨＩＤホストとして動作することを特徴とする請求項１０に記載の方法。
【請求項１２】
上記第１のデバイスは、無線マウス（４）であり、
上記第２のデバイスは、携帯用コンピュータ、特にラップトップ（１）であることを特徴とする請求項１〜１１のいずれか１項に記載の方法。
【請求項１３】
２つのデバイス（１、４）のユーザに対して警告信号を生成する構成体であって、
上記２つのデバイス（１、４）は、相互に無線通信するように構成されているとともに、第１のデバイス（４）は、ユーザと第２のデバイス（１）との間の入力および／または出力インターフェースとして機能するものであり、
ａ）停止している上記第１のデバイスと上記第２のデバイスとが接続していることを示す可変要素、および／または、停止している上記第１のデバイスと上記第２のデバイスとの間の距離によって影響を受ける可変要素をモニタする手段（９、１２；９、１９）と、
ｂ）接続していることを示す上記可変要素（１８）の接続が終了したときの典型的な動作、および／または、上記２つのデバイス間の距離によって影響を受ける上記可変要素（１０、１１）の上記２つのデバイス間の距離が大きくなったときの典型的な動作に依存して、上記ユーザに警告信号を出力する出力手段（１４、１６）とを備えることを特徴とする構成体。
【請求項１４】
上記第１のデバイス（４）および上記第２のデバイス（１）は、無線ネットワークを介して相互に通信するように構成されていることを特徴とする請求項１３に記載の構成体。
【請求項１５】
上記無線ネットワークによって、送信機としての上記第２のデバイス（１）と、受信機としての上記第１のデバイス（４）との信号伝送が可能になることを特徴とする請求項１４に記載の構成体。
【請求項１６】
上記第１のデバイス（４）は、上記モニタする手段（９、１２；９、１９）を備えていることを特徴とする請求項１５に記載の構成体。
【請求項１７】
上記モニタする手段（９、１２；９、１９）は、上記モニタデバイスが受信した信号強度、特に電界強度（１０）および／または信号品質、特にビット誤り率（１１）を測定するように構成されていることを特徴とする請求項１４〜１６のいずれか１項に記載の構成体。
【請求項１８】
上記第２のデバイスは、上記出力手段（１５、１６）を備えていることを特徴とする請求項１４〜１７のいずれか１項に記載の構成体。
【請求項１９】
上記第１のデバイスは、上記出力手段（１５、１６）を備えていることを特徴とする請求項１５〜１７のいずれか１項に記載の構成体。
【請求項２０】
上記第１のデバイスと上記第２のデバイスとが接続していることを示す上記可変要素（１８）が、接続が終了したときの典型的な動作を示した場合、および／または、上記２つのデバイス間の距離によって影響を受ける上記可変要素（１０、１１）が、上記第１のデバイスと上記第２のデバイスとの間の距離が大きくなったときの典型的な動作を示した場合に、
上記第１のデバイス（４）または上記第２のデバイス（１）は、上記出力手段を備えた第３のデバイス、特に携帯電話、への接続をセットアップするように設計されていることを特徴とする請求項１４〜１７のいずれか１項に記載の構成体。
【請求項２１】
無線によって通信するように構成された上記デバイスは、ブルートゥース規格に準拠して動作することを特徴とする請求項１５〜２０のいずれか１項に記載の構成体。
【請求項２２】
して、
上記第１のデバイス（４）は、ブルートゥース規格のＨＩＤプロファイルに準拠したＨＩＤデバイスであり、
上記第２のデバイス（１）は、ブルートゥース規格のＨＩＤプロファイルに準拠したＨＩＤホストであることを特徴とする請求項２１に記載の構成体。
【請求項２３】
第１のデバイスは無線マウス（４）であり、
第２のデバイスは携帯用コンピュータ、特にラップトップ（１）であることを特徴とする請求項１３〜２２のいずれか１項に記載のデバイス。
【発明の詳細な説明】
【発明の詳細な説明】
【０００１】
本発明は、相互に無線通信するように構成された２つのデバイスのユーザに対して警告信号を生成するための方法および構成体であって、第１のデバイスが、ユーザと第２のデバイスとの間において、入力および／または出力インターフェースとして機能するような方法および構成体に関する。
【０００２】
ユーザと、ユーザによって使用される第２のデバイスとの間にインターフェースを形成する現在の入力および／または出力デバイスは、無線動作するデバイスとして数多く提供されてきている。例えば、入力装置としての無線通信マウスは、例えばラップトップなどのコンピュータにケーブルを介して接続されたコンピュータマウスに取って代わるものである。ワイヤ接続されたシステムと比較した場合に、無線システムは一般的に複数の利点を有しているものの、無線入力および／または出力デバイスは、ワイヤ接続された入力および出力デバイスよりも、ユーザが放置または紛失しやすいという危険がある。例えばワイヤ接続されたマウスは、ラップトップとマウスとの間にケーブルが存在しているため、ユーザがこれを移動させるときには通常はまとめて運ばれる。一方、無線マウスの場合は、ラップトップを移動させるときにたやすく見過ごされて、そして忘れられる。このような場合、ユーザは、次に使用するときになって初めて紛失に気づくことが多い。
【０００３】
従って本発明は、２つのデバイスのユーザに対して無線入力および／または出力デバイスを忘れないように注意喚起する方法であって、上記２つのデバイスは、相互に無線通信するように構成されているとともに、第１のデバイス、ユーザと第２のデバイスとの間の入力および／または出力インターフェースとして機能するものである方法を特定することを目的とする。
【０００４】
本発明の原理を形成している目的は、独立請求項１および独立請求項１３に記載の特徴によって達成される。
【０００５】
２つのデバイスのユーザに対して警告信号を生成する方法であって、上記２つのデバイスは相互に無線通信するように構成されているとともに、第１のデバイスは、ユーザと第２のデバイスとの入力および／または出力インターフェースとして機能するものである方法は、次の２つの工程によって構成されている。
【０００６】
第１の工程では、停止している第１のデバイスと第２のデバイスとが接続されていることを示す可変要素、および／または、停止している第１のデバイスと第２のデバイスとの間の距離によって影響を受ける可変要素がモニタされる。
【０００７】
第２の工程では、接続されていることを示す上記可変要素が、接続が終了されたときの典型的な動作を示した場合、および／または、２つのデバイス間の距離によって影響を受ける上記可変要素が、２つのデバイス間の距離が大きくなったときの典型的な動作を示した場合に、ユーザに対して警告信号が出力される。
【０００８】
上記２つのデバイスは、本発明に係る方法によって実質的につながれている。停止している第１のデバイスから第２のデバイスがユーザによって現在または後に空間的に取り外されたときの典型的な指標が認識されると、ユーザは、停止している第１のデバイスを忘れないように注意喚起される。上記２つのデバイス間の接続が終了された場合、特に第２のデバイスの電源が切られたとき、これは、ユーザを注意喚起するための指標である。なぜなら、第２のデバイスの電源が切られた後、一般的には携帯可能である第２のデバイスが移動されることはほとんどないからである。本発明に係る意味での接続終了は、接続が実際に終了される前に、第１のデバイスからの標準規格の終了要求を送信することによっても認識され得る。さらに、例えば机上に静止して置かれているような、静止はしているが一般的には携帯可能な第１のデバイスと、第２のデバイスとの距離の増加もまた、ユーザへ警告するための指標となり得る。
【０００９】
本発明の意義においては、「無線」という表現は、無線通信以外にも、赤外線インターフェースを介した２つのデバイス間の接続という意味も含んでいる。
【００１０】
上記第１のデバイスおよび上記第２のデバイスは、無線ネットワークを介して相互に通信するように構成されていると有利である。この場合、上記無線ネットワークによって、送信機としての上記第２デバイスと、受信機としての上記第１デバイスとの間において信号伝送が有利に行える。従って上記モニタ工程を、上記第１のデバイスによって有利に行うことができる。
【００１１】
これによって、上記第１のデバイスは、上記第２のデバイスとは独立して上記方法を実行できるという利点がもたらされる。上記第１のデバイスまたは第３のデバイスには対応した出力手段が設けられているため、上記第２のデバイスの電源が切られた後であっても、ユーザは警告を受けることができる。
【００１２】
有利な一形態によると、上記２つのデバイス間の距離によって影響を受ける上記可変要素は、上記モニタデバイスが受信する信号強度、特に電界強度および／または信号品質、特にビット誤り率である。この場合、上記２つのデバイス間の距離が増加したときの典型的な動作が、信号強度および／または信号品質の低下であれば有利である。
【００１３】
通常は、上記第１のデバイスは、第２のデバイスから一定の距離を置いて操作される。上記モニタデバイスが受信した信号強度、特に電界強度および／または信号品質、特にビット誤り率は、この場合、常に桁数が同じである。しかし、例えば受信した電界強度が低下した場合、あるいはビット誤り率が上昇した場合、これは上記２つのデバイス間の距離が大きくなったときの典型的な現象である。つまり、第１のデバイスが停止した状態にあって、ユーザが第２のデバイスから離れようとしている指標である。
【００１４】
有利な一形態によると、ユーザに警告信号を出力する工程は、第２のデバイスによって行われる。これによって、停止している第１のデバイスから、第２のデバイスを持って離れようとしているユーザに直接、かつ最も近い位置において警告信号が出力されるという利点がもたらされる。さらに、ラップトップの場合、例えば信号発生器、およびラウドスピーカ、または画面、またはＬＥＤ（発光ダイオード）などの、第２のデバイス内において既に世界中で用いられている音響信号源または視覚信号源を用いることができる。
【００１５】
別の形態によると、ユーザに警告信号を出力する工程は、第１のデバイスによって行われる。この目的のため、この形態における第１のデバイスは、音響信号源または視覚信号源を有している。あるいは、いわゆるフォースフィードバック信号源の使用も考えられる。この場合、例えば第１のデバイスの振動などによる力の作用がユーザに加えられることにより、ユーザは警告を受ける。第１のデバイスによって警告信号が出力されることにより、上記第１のデバイスが、上記第２のデバイスとは独立して警告信号を出力できるという利点がもたらされる。これは、特に第２のデバイスの電源が既に切られた場合に重要である。さらに、上位の第２のデバイスからはほぼ独立して本発明に係る方法を実行し、自身の有用性を確かなものとする、情報処理機能を有する周辺機器は、第１のデバイスにおいて実行される追加的なモニタリングと組み合わせることで実現される。
【００１６】
さらに別の形態によると、ユーザに対して警告信号が出力される前に、第１のデバイスと第２のデバイスとが接続されているときの典型的な可変要素が、接続が終了されたときの典型的な動作を示した場合、および／または、上記２つのデバイス間の距離によって影響を受ける可変要素が、第１のデバイスと第２のデバイスとの距離が大きくなったときの典型的な動作を示した場合において、第３のデバイス、特に携帯電話がセットアップされる。そして、上記第３のデバイスによって警告信号が出力される。
【００１７】
このような方法の利点は、ユーザと第１のデバイスとの間の視覚的な接続または聴覚的な接続がなくなった場合、および第２のデバイスの電源が既に切られた場合でも、ユーザは警告を受けることができるという点にある。上記の測定が行われるときには、原理的に２つの可能性に特に重点を置かなければならない。第１の可能性によると、第１または第２のデバイスは、例えば、上記と同一または上記のような無線ネットワークを介して第１および第２のデバイスと相互接続されるコードレスホンまたは携帯電話などの第３のデバイスへの接続を開始する。第３のデバイスが携帯電話である場合は、原理的には、ユーザと第１のデバイスとの間の距離に関わらず、携帯電話から警告信号が出力され得る。この目的のために、第２の可能性によると、第１または第２のデバイスは、例えばＧＳＭネットワークなどのセルラー方式無線ネットワークを介して、上記携帯電話への接続を始める必要がある。
【００１８】
無線通信するように構成された上記デバイスは、ブルートゥース規格に準じて動作すると有利である。これによって、本発明に係る方法においてブルートゥース規格の特性を利用できるという利点がある。
【００１９】
ブルートゥースに準拠した２つのデバイスの接続は、二重接続である。つまり、原理的には、順方向通信路および戻り通信路があることを意味する。従来の入力動作において無線マウスからラップトップへの順方向通信路のみが使用される、ブルートゥースに準拠した無線マウスの場合は、本発明に係る方法の意義において、無線マウスが受信した信号強度および／または信号品質をモニタするために、戻り通信路を利用できる。
【００２０】
さらに、ピコネットワークと称されるブルートゥース規格の無線ネットワークは、３つ以上のデバイスを含むことができる。この場合、第１または第２のデバイスが、上記のようなピコネットワークを介して、例えばコードレスホンなどの第３のデバイスを容易にアドレス指定して、ユーザに警告信号を送ることができる。
【００２１】
その上ブルートゥース規格のデバイスは、いかなる場合でも、電界強度およびビット誤り率を測定できるはずである。従って、本発明に係る電界強度またはビット誤り率のモニタリングは、既に設けられているブルートゥース規格の測定手段を用いて行うことができ、追加的な電界強度専用測定手段、または追加的なビット誤り率専用測定手段を必要としない。
【００２２】
無線通信するように構成されたデバイスが、ブルートゥース規格に準拠して動作する場合に、第１および第２デバイスが、ブルートゥース規格のＨＩＤプロファイル（ヒューマンインターフェースデバイス）に準拠して動作するのであれば、本発明の有利なアプリケーションを得ることができる。この構成では、第１のデバイスはＨＩＤデバイスとして機能し、そして第２のデバイスはＨＩＤホストとして機能する。ＨＩＤプロファイルを用いることによって、上記２つのデバイス間における信号伝送において、待ち時間を短くすることが可能になる。
【００２３】
例えばＨＩＤプロファイルなどのブルートゥース規格のプロファイルは、ブルートゥースプロトコルが、デバイス特有のタスクに対する特定のパラメータと共にどのように使用されるのかを指定する。ピコネットワークにおける登録中に、ブルートゥースデバイスは、そのプロファイル、またはそのパートナーへのプロファイルを指定して、その機能をパートナーへ知らせる。このような状況では、相互に適合し、かつ同じプロファイルを持つデバイスのみが接続される。この結果、無線マウスおよびラップトップ、またはブルートゥースデジタルカメラおよびラップトップなどの、適合したデバイスが相互に通信するが、無線マウスとブルートゥースデジタルカメラとは通信しない。ブルートゥース規格のＨＩＤプロファイルは、２つのブルートゥースデバイス、すなわち、ユーザとの入力および／または出力インターフェースとして機能する第１のデバイスと、第２のデバイスとの通信に対する別々のプロファイルを示している。この構成では、例えば無線マウスなどの第１のデバイスは、一般的にはブルートゥース規格のＨＩＤデバイスとして動作し、そして例えば無線マウスに接続されたラップトップなどの第２のデバイスは、ブルートゥース規格のＨＩＤホストとしての役割を担う。
【００２４】
警告信号を生成するための本発明に係る構成体は、停止している第１のデバイスと第２のデバイスとが接続されていることを示す可変要素、および／または、停止している第１のデバイスと第２のデバイスとの間の距離によって影響を受ける可変要素をモニタするための手段を有している。上記構成体はさらに、ユーザへ警告信号を出力するための出力手段を有している。この出力手段は、接続されていることを示す上記可変要素の接続が終了したときの典型的な動作および／または、上記２つのデバイス間の距離によって影響を受ける上記可変要素の上記２つのデバイス間の距離が増加したときの典型的な動作に依存して起動される。
【００２５】
本発明の有利な別の形態については、従属請求項に明記されている。
【００２６】
次に、本発明について、２つの典型的な実施形態を用いて、図面を参照にしながらより詳しく説明する。図面は以下の通りである。
【００２７】
図１は、本発明の第１の典型的な実施形態を示す図である。
【００２８】
図２は、本発明の第２の典型的な実施形態を示す図である。
【００２９】
図１は、本発明の第１の典型的な実施形態を示す。無線インターフェースを有するラップトップ１は、アンテナ２から、エアインターフェース３を介して無線マウス４へ信号を送信する。無線マウス４が有するアンテナ５は、エアインターフェース３の信号を受信して、これらの信号をアンテナ信号６として高周波回路（ＲＦ）７へ送信する。高周波回路７は、入力信号を、ベースバンドプロセッサ（ＢＢ）９へ供給されるベースバンド信号８へ変換する。上記ベースバンドプロセッサは、２つの出力信号１０および１１を供給する。出力信号１０は、受信した信号の電界強度特性を示し、そして出力信号１１は、受信した信号のビット誤り率を示す。これらの信号は、検出回路１２に供給される。上記検出回路の出力信号１３は、生成回路１４へ供給される。この発生器回路の出力信号１５は、ラウドスピーカ１６へ供給される。ラウドスピーカ１６は、信号１５を音響信号へ変換する。
【００３０】
ラップトップ１および無線マウス４は、両者とも、無線ブルートゥース規格に準拠して動作する。ブルートゥース伝送の基本原理については、技術論文「Ｄｉｅ  Ｂｌｕｅｔｏｏｈ−Ｕｅｂｅｒｔｒａｇｕｎｇ」（ブルートゥース伝送）、Ｊａａｐ  Ｈａａｒｔｓｅｎ、Ｆｕｎｋｓｃｈａｕ、１９９９、第１５巻、７６〜８０ページ、に明記されている。この論文の内容は、本発明出願の開示内容に参照として援用される。ブルートゥース規格は、２つのデバイス間における双方向伝送について規定している。図１では、ラップトップ１から無線マウス４方向への信号伝送のみが図示されている。マウスの動作情報伝送のために使用される逆方向への伝送は図示されていない。
【００３１】
上記２つのデバイスは、前述したブルートゥース規格のＨＩＤプロファイルをサポートしている。つまり、ラップトップ１はＨＩＤホストの役割を担い、そして無線マウス４はＨＩＤプロファイルに関するＨＩＤデバイスの役割を担っている。ブルートゥースプロファイルの原理については、技術論文「Ｄｉｅ  Ｂｌｕｅｔｏｏｈ  Ｐｒｏｆｉｌｅ」（ブルートゥースプロファイル）、Ｄｒ．Ｇｅｒｄ  Ｔｈｉｅｄｅｍａｎｎ、Ｆｕｎｋｓｃｈａｕ、２００３、第１２巻、５９〜６０ページ、に記載されている。上記論文の内容は、本発明出願の開示内容に参照として援用される。
【００３２】
上記２つのデバイス１および４は、ブルートゥース規格のピコネットワークと称される無線ネットワークを形成している。このネットワークにおいて、ラップトップ１は、ネットワークのいわゆるマスターとして機能し、そして無線マウス４は、いわゆるスレーブとして機能する。上記構成では、上位ユニットとしての上記マスターは、ネットワーク内での無線トラフィックを制御する。
【００３３】
ユーザがラップトップ１を別の場所へ移動し、そのときにマウス４を元の位置へ置いたままにしたとすると、これは本発明に係る構成体によって認識され、ユーザは警告を受ける。上記無線マウスが受信した信号は、その電界強度および／またはビット誤り率が連続的にモニタされる。受信信号の電界強度を示す電界強度信号１０、およびビット誤り率を示すＢＥＲ信号１１は、アンテナが受信した信号を評価することによって決定される。上記構成では、受信した電磁信号の電界強度は、基本的に、電気入力信号６の信号揺れを測定することによって、高周波回路７において測定される。一般的に、デジタルベースバンドプロセッサ９もまた、上記２つの構成要素間にある対応したインターフェース（図示せず）を介して電界強度に関する情報を利用できる。
【００３４】
受信信号のビット誤り率（ＢＥＲ）は、上記デジタルベースバンドプロセッサにおいて測定される。電界強度、ひいては電界強度信号１０もまた、ラップトップ１と無線マウス４との距離に依存する可変要素であるため、電界強度の低下は、ラップトップ１と無線マウス４とが互いに離されようとしていることを示す。無線マウス４が停止している場合には、電界強度が低下したときは、ラップトップ１、従ってユーザも無線マウス４から離れようとしている。ある要素によって電界強度が低下したときは、この低下は検出回路１２において検出される。
【００３５】
あるいは、検出器１２において、電界強度の一定の最大絶対的低下を検出することも可能である。この規定された低下を検出するときに、検出器１２は信号発生器１４を作動させる。この結果、信号生成器１４は信号１５を出力する。信号１５は、電気／音響変換された後に、ラップトップ１と共に無線マウス４を移動させるように、ラウドスピーカ１６を介してユーザに注意喚起する。
【００３６】
電界強度の代わりとして、ビット誤り率もまた、ラップトップ１と無線マウス４との間の距離に依存する可変要素である。つまりＢＥＲの上昇は、ラップトップ１と無線マウス４とが互いに離されようとしている、従ってユーザが無線マウス４から離れようとしていることを示す。ＢＥＲの相対的または絶対的上昇は、検出器１２において検出できる。ＢＥＲの相対的または絶対的上昇を検出すると、検出器１２は、信号生成器１４を同様に作動させて、ユーザに警告する。一般的に、電界強度とビット誤り率という２つの可変要素をモニタする代わりに、これらの内の１つのみを検出器においてモニタできれば十分である。このような検出器は、図１に示す検出器１２と比較して、機能面において簡略化されたものである。
【００３７】
本発明の概念においては、検出器１２の出力信号が、破線で示すように、別の接続経路１７を介してベースバンドプロセッサ９へ戻されることも考えられる。この場合、ＢＥＲの上昇または電界強度の低下が検出されると、この検出情報がベースバンドプロセッサ９へ伝達される。そしてベースバンドプロセッサ９は、この情報を、戻り通信路を介してラップトップ１へ転送する。そして上記情報は、ラップトップ１内にある信号源を介してユーザに警告を発するために、ラップトップ１において利用される。
【００３８】
ＢＥＲの上昇または電界強度の低下が検出されると、ベースバンドプロセッサ９は、接続経路１７を介して、ブルートゥース対応の携帯電話へのブルートゥース接続をセットアップして、上記携帯電話内にある信号源を介してユーザへ警告を発するように同様に命令を受ける。この機能は、特にユーザへ警告を発するための信号源が無線マウス内に存在せず、かつラップトップ１の電源が切られている場合に使用することができる。
【００３９】
図２は、本発明の第２の典型的な実施形態を示している。この構成では、機能面および構成面において同一の構成要素は、図１で用いられている符号と同一の符号によって識別されている。図１に示す第１の典型的な実施形態との相違点は、ラップトップ１と無線マウス４との接続が終了されたとき、この接続終了がベースバンドプロセッサ９において検出され、そして対応する検出回路１９が、接続終了を示す信号１８によって情報を受けるという点である。接続の終了は、ユーザがラップトップ１の電源を切り、ラップトップ１の電源が落ちた後に、ラップトップ１がおそらく移動されたことを示している。このような場合ユーザは、本発明に係る構成体によって、移動時に無線マウス４を忘れないように警告を受ける。接続の終了は、接続が実際に終了する前であっても、ラップトップ１からの標準規格の終了要求を送信することによって検出される。
【００４０】
図１および図２に示す手段を用いて説明した機能性のための回路は、多くの方法によって実現できる。例えば、本発明の概念において、ベースバンドプロセッサ、各検出器１２または１９、および発生器１４を１つのチップ上に集積することも考えられる。さらに、ベースバンドプロセッサ９のファームウェアにおけるソフトウェア機能として、各検出器１２または１９を集積することもできる。
【００４１】
さらに、図１および図２に示す構成体を組み合わせることができる。つまり、接続終了の判別を、電界強度の一定の低下および／またはビット誤り率の一定の上昇の判別と組み合わせて行うことができる。
【図面の簡単な説明】
【００４２】
【図１】本発明の第１の典型的な実施形態を示す図である。
【図２】本発明の第２の典型的な実施形態を示す図である。
【図１】
2007508627.tif 000003
【図２】
2007508627.tif 000004
【手続補正書】
【提出日】平成17年8月1日(2005.8.1)
【手続補正１】
【補正対象書類名】明細書
【補正対象項目名】全文
【補正方法】変更
【補正の内容】
【発明の詳細な説明】
【発明の詳細な説明】
【０００１】
本発明は、相互に無線通信するように構成された２つのデバイスのユーザに対して警告信号を生成するための方法および構成体であって、第１のデバイスが、ユーザと第２のデバイスとの間において、入力および／または出力インターフェースとして機能するような方法および構成体に関する。
【０００２】
ユーザと、ユーザによって使用される第２のデバイスとの間にインターフェースを形成する現在の入力および／または出力デバイスは、無線動作するデバイスとして数多く提供されてきている。例えば、入力装置としての無線通信マウスは、例えばラップトップなどのコンピュータにケーブルを介して接続されたコンピュータマウスに取って代わるものである。ワイヤ接続されたシステムと比較した場合に、無線システムは一般的に複数の利点を有しているものの、無線入力および／または出力デバイスは、ワイヤ接続された入力および出力デバイスよりも、ユーザが放置または紛失しやすいという危険がある。例えばワイヤ接続されたマウスは、ラップトップとマウスとの間にケーブルが存在しているため、ユーザがこれを移動させるときには通常はまとめて運ばれる。一方、無線マウスの場合は、ラップトップを移動させるときにたやすく見過ごされて、そして忘れられる。このような場合、ユーザは、次に使用するときになって初めて紛失に気づくことが多い。
【０００３】
従って本発明は、２つのデバイスのユーザに対して無線入力および／または出力デバイスを忘れないように注意喚起する方法であって、上記２つのデバイスは、相互に無線通信するように構成されているとともに、第１のデバイス、ユーザと第２のデバイスとの間の入力および／または出力インターフェースとして機能するものである方法を特定することを目的とする。
【０００４】
本発明の原理を形成している目的は、独立請求項１および独立請求項１２に記載の特徴によって達成される。
【０００５】
２つのデバイスのユーザに対して警告信号を生成する方法であって、上記２つのデバイスは相互に無線通信するように構成されているとともに、第１のデバイスは、ユーザと第２のデバイスとの入力および／または出力インターフェースとして機能するものである方法は、次の２つの工程によって構成されている。
【０００６】
第１の工程では、上記２つのデバイスが通信している間に、信号強度および／または信号品質がモニタされる。この信号強度または信号品質はそれぞれ、停止している上記第１のデバイスと上記第２のデバイスとの距離によって影響を受ける可変要素である。
【０００７】
第２の工程では、予め測定された、上記信号強度および／または上記信号品質の出力値に関する、上記信号強度および／または上記信号品質の低下が、所定の値を下回ってそれぞれ生じたときに、上記ユーザに対して警告信号が出力される。この低下は、上記２つのデバイス間の距離が大きくなったときに典型的に起こる。
【０００８】
上記２つのデバイスは、本発明に係る方法によって実質的につながれている。停止している第１のデバイスから第２のデバイスがユーザによって現在または後に空間的に取り外されたときの典型的な指標が認識されると、ユーザは、停止している第１のデバイスを忘れないように注意喚起される。例えば机上に静止して置かれているような、静止はしているが一般的には携帯可能な第１のデバイスと、第２のデバイスとの距離の増加もまた、ユーザへ警告するための指標となり得る。
【０００９】
通常は、上記第１のデバイスは、第２のデバイスから一定の距離を置いて操作される。上記モニタデバイスが受信した信号強度、特に電界強度および／または信号品質、特にビット誤り率は、この場合、常に桁数が同じである。しかし、例えば受信した電界強度が低下した場合、あるいはビット誤り率が上昇した場合、これは上記２つのデバイス間の距離が大きくなったときの典型的な現象である。つまり、第１のデバイスが停止した状態にあって、ユーザが第２のデバイスから離れようとしている指標である。
【００１０】
本発明の意義においては、「無線」という表現は、無線通信以外にも、赤外線インターフェースを介した２つのデバイス間の接続という意味も含んでいる。
【００１１】
上記第１のデバイスおよび上記第２のデバイスは、無線ネットワークを介して相互に通信するように構成されていると有利である。この場合、上記無線ネットワークによって、送信機としての上記第２デバイスと、受信機としての上記第１デバイスとの間において信号伝送が有利に行える。従って上記モニタ工程を、上記第１のデバイスによって有利に行うことができる。
【００１２】
これによって、上記第１のデバイスは、上記第２のデバイスとは独立して上記方法を実行できるという利点がもたらされる。上記第１のデバイスまたは第３のデバイスには対応した出力手段が設けられているため、上記第２のデバイスの電源が切られた後であっても、ユーザは警告を受けることができる。
【００１３】
有利な一形態によると、信号強度および／または信号品質はそれぞれ、上記モニタデバイスが受信した電界強度またはビット誤り率である。
【００１４】
有利な一形態によると、ユーザに警告信号を出力する工程は、第２のデバイスによって行われる。これによって、停止している第１のデバイスから、第２のデバイスを持って離れようとしているユーザに直接、かつ最も近い位置において警告信号が出力されるという利点がもたらされる。さらに、ラップトップの場合、例えば信号発生器、およびラウドスピーカ、または画面、またはＬＥＤ（発光ダイオード）などの、第２のデバイス内において既に世界中で用いられている音響信号源または視覚信号源を用いることができる。
【００１５】
別の形態によると、ユーザに警告信号を出力する工程は、第１のデバイスによって行われる。この目的のため、この形態における第１のデバイスは、音響信号源または視覚信号源を有している。あるいは、いわゆるフォースフィードバック信号源の使用も考えられる。この場合、例えば第１のデバイスの振動などによる力の作用がユーザに加えられることにより、ユーザは警告を受ける。第１のデバイスによって警告信号が出力されることにより、上記第１のデバイスが、上記第２のデバイスとは独立して警告信号を出力できるという利点がもたらされる。これは、特に第２のデバイスの電源が既に切られた場合に重要である。さらに、上位の第２のデバイスからはほぼ独立して本発明に係る方法を実行し、自身の有用性を確かなものとする、情報処理機能を有する周辺機器は、第１のデバイスにおいて実行される追加的なモニタリングと組み合わせることで実現される。
【００１６】
さらに別の形態によると、ユーザに対して警告信号が出力される前に、上記信号強度および／または上記信号品質の低下が、予め測定された、上記信号強度または信号品質の出力値に関する所定の値を下回ってそれぞれ生じたときに、第３のデバイス、特に携帯電話がセットアップされる。そして、上記第３のデバイスによって警告信号が出力される。
【００１７】
このような方法の利点は、ユーザと第１のデバイスとの間の視覚的な接続または聴覚的な接続がなくなった場合、および第２のデバイスの電源が既に切られた場合でも、ユーザは警告を受けることができるという点にある。上記の測定が行われるときには、原理的に２つの可能性に特に重点を置かなければならない。第１の可能性によると、第１または第２のデバイスは、例えば、上記と同一または上記のような無線ネットワークを介して第１および第２のデバイスと相互接続されるコードレスホンまたは携帯電話などの第３のデバイスへの接続を開始する。第３のデバイスが携帯電話である場合は、原理的には、ユーザと第１のデバイスとの間の距離に関わらず、携帯電話から警告信号が出力され得る。この目的のために、第２の可能性によると、第１または第２のデバイスは、例えばＧＳＭネットワークなどのセルラー方式無線ネットワークを介して、上記携帯電話への接続を始める必要がある。
【００１８】
無線通信するように構成された上記デバイスは、ブルートゥース規格に準じて動作すると有利である。これによって、本発明に係る方法においてブルートゥース規格の特性を利用できるという利点がある。
【００１９】
ブルートゥースに準拠した２つのデバイスの接続は、二重接続である。つまり、原理的には、順方向通信路および戻り通信路があることを意味する。従来の入力動作において無線マウスからラップトップへの順方向通信路のみが使用される、ブルートゥースに準拠した無線マウスの場合は、本発明に係る方法の意義において、無線マウスが受信した信号強度および／または信号品質をモニタするために、戻り通信路を利用できる。
【００２０】
さらに、ピコネットワークと称されるブルートゥース規格の無線ネットワークは、３つ以上のデバイスを含むことができる。この場合、第１または第２のデバイスが、上記のようなピコネットワークを介して、例えばコードレスホンなどの第３のデバイスを容易にアドレス指定して、ユーザに警告信号を送ることができる。
【００２１】
その上ブルートゥース規格のデバイスは、いかなる場合でも、電界強度およびビット誤り率を測定できるはずである。従って、本発明に係る電界強度またはビット誤り率のモニタリングは、既に設けられているブルートゥース規格の測定手段を用いて行うことができ、追加的な電界強度専用測定手段、または追加的なビット誤り率専用測定手段を必要としない。
【００２２】
無線通信するように構成されたデバイスが、ブルートゥース規格に準拠して動作する場合に、第１および第２デバイスが、ブルートゥース規格のＨＩＤプロファイル（ヒューマンインターフェースデバイス）に準拠して動作するのであれば、本発明の有利なアプリケーションを得ることができる。この構成では、第１のデバイスはＨＩＤデバイスとして機能し、そして第２のデバイスはＨＩＤホストとして機能する。ＨＩＤプロファイルを用いることによって、上記２つのデバイス間における信号伝送において、待ち時間を短くすることが可能になる。
【００２３】
例えばＨＩＤプロファイルなどのブルートゥース規格のプロファイルは、ブルートゥースプロトコルが、デバイス特有のタスクに対する特定のパラメータと共にどのように使用されるのかを指定する。ピコネットワークにおける登録中に、ブルートゥースデバイスは、そのプロファイル、またはそのパートナーへのプロファイルを指定して、その機能をパートナーへ知らせる。このような状況では、相互に適合し、かつ同じプロファイルを持つデバイスのみが接続される。この結果、無線マウスおよびラップトップ、またはブルートゥースデジタルカメラおよびラップトップなどの、適合したデバイスが相互に通信するが、無線マウスとブルートゥースデジタルカメラとは通信しない。ブルートゥース規格のＨＩＤプロファイルは、２つのブルートゥースデバイス、すなわち、ユーザとの入力および／または出力インターフェースとして機能する第１のデバイスと、第２のデバイスとの通信に対する別々のプロファイルを示している。この構成では、例えば無線マウスなどの第１のデバイスは、一般的にはブルートゥース規格のＨＩＤデバイスとして動作し、そして例えば無線マウスに接続されたラップトップなどの第２のデバイスは、ブルートゥース規格のＨＩＤホストとしての役割を担う。
【００２４】
上述した２つのデバイスのユーザに対して警告信号を生成する本発明に係る構成体は、上記２つのデバイスが通信している間に信号強度および／または信号品質をモニタするための手段を備えている。この信号強度または信号品質は、それぞれ、停止している上記第１のデバイスと上記第２のデバイスとの間の距離によって影響を受ける可変要素である。上記構成体はさらに、上記信号強度および／または上記信号品質の低下が、予め測定された、上記信号強度または信号品質の出力値に関する所定の値を下回ってそれぞれ生じたときに、上記ユーザに対して警告信号を出力するための出力手段を備えている。この低下は、上記２つのデバイス間の距離が大きくなったときに典型的に起こる。
【００２５】
本発明の有利な別の形態については、従属請求項に明記されている。
【００２６】
次に、本発明について、典型的な実施形態を用いて、図面を参照にしながらより詳しく説明する。図面は以下の通りである。
【００２７】
図１は、本発明の第１の典型的な実施形態を示す図である。
【００２８】
図２は、警告信号を生成するための別の構成を示す図であり、本発明の典型的な実施形態を示す図ではない。
【００２９】
図１は、本発明の第１の典型的な実施形態を示す。無線インターフェースを有するラップトップ１は、アンテナ２から、エアインターフェース３を介して無線マウス４へ信号を送信する。無線マウス４が有するアンテナ５は、エアインターフェース３の信号を受信して、これらの信号をアンテナ信号６として高周波回路（ＲＦ）７へ送信する。高周波回路７は、入力信号を、ベースバンドプロセッサ（ＢＢ）９へ供給されるベースバンド信号８へ変換する。上記ベースバンドプロセッサは、２つの出力信号１０および１１を供給する。出力信号１０は、受信した信号の電界強度特性を示し、そして出力信号１１は、受信した信号のビット誤り率を示す。これらの信号は、検出回路１２に供給される。上記検出回路の出力信号１３は、生成回路１４へ供給される。この発生器回路の出力信号１５は、ラウドスピーカ１６へ供給される。ラウドスピーカ１６は、信号１５を音響信号へ変換する。
【００３０】
ラップトップ１および無線マウス４は、両者とも、無線ブルートゥース規格に準拠して動作する。ブルートゥース伝送の基本原理については、技術論文「Ｄｉｅ  Ｂｌｕｅｔｏｏｈ−Ｕｅｂｅｒｔｒａｇｕｎｇ」（ブルートゥース伝送）、Ｊａａｐ  Ｈａａｒｔｓｅｎ、Ｆｕｎｋｓｃｈａｕ、１９９９、第１５巻、７６〜８０ページ、に明記されている。この論文の内容は、本発明出願の開示内容に参照として援用される。ブルートゥース規格は、２つのデバイス間における双方向伝送について規定している。図１では、ラップトップ１から無線マウス４方向への信号伝送のみが図示されている。マウスの動作情報伝送のために使用される逆方向への伝送は図示されていない。
【００３１】
上記２つのデバイスは、前述したブルートゥース規格のＨＩＤプロファイルをサポートしている。つまり、ラップトップ１はＨＩＤホストの役割を担い、そして無線マウス４はＨＩＤプロファイルに関するＨＩＤデバイスの役割を担っている。ブルートゥースプロファイルの原理については、技術論文「Ｄｉｅ  Ｂｌｕｅｔｏｏｈ  Ｐｒｏｆｉｌｅ」（ブルートゥースプロファイル）、Ｄｒ．Ｇｅｒｄ  Ｔｈｉｅｄｅｍａｎｎ、Ｆｕｎｋｓｃｈａｕ、２００３、第１２巻、５９〜６０ページ、に記載されている。上記論文の内容は、本発明出願の開示内容に参照として援用される。
【００３２】
上記２つのデバイス１および４は、ブルートゥース規格のピコネットワークと称される無線ネットワークを形成している。このネットワークにおいて、ラップトップ１は、ネットワークのいわゆるマスターとして機能し、そして無線マウス４は、いわゆるスレーブとして機能する。上記構成では、上位ユニットとしての上記マスターは、ネットワーク内での無線トラフィックを制御する。
【００３３】
ユーザがラップトップ１を別の場所へ移動し、そのときにマウス４を元の位置へ置いたままにしたとすると、これは本発明に係る構成体によって認識され、ユーザは警告を受ける。上記無線マウスが受信した信号は、その電界強度および／またはビット誤り率が連続的にモニタされる。受信信号の電界強度を示す電界強度信号１０、およびビット誤り率を示すＢＥＲ信号１１は、アンテナが受信した信号を評価することによって決定される。上記構成では、受信した電磁信号の電界強度は、基本的に、電気入力信号６の信号揺れを測定することによって、高周波回路７において測定される。一般的に、デジタルベースバンドプロセッサ９もまた、上記２つの構成要素間にある対応したインターフェース（図示せず）を介して電界強度に関する情報を利用できる。
【００３４】
受信信号のビット誤り率（ＢＥＲ）は、上記デジタルベースバンドプロセッサにおいて測定される。電界強度、ひいては電界強度信号１０もまた、ラップトップ１と無線マウス４との距離に依存する可変要素であるため、電界強度の低下は、ラップトップ１と無線マウス４とが互いに離されようとしていることを示す。無線マウス４が停止している場合には、電界強度が低下したときは、ラップトップ１、従ってユーザも無線マウス４から離れようとしている。ある要素によって電界強度が低下したときは、この低下は検出回路１２において検出される。
【００３５】
あるいは、検出器１２において、電界強度の一定の最大絶対的低下を検出することも可能である。この規定された低下を検出するときに、検出器１２は信号発生器１４を作動させる。この結果、信号生成器１４は信号１５を出力する。信号１５は、電気／音響変換された後に、ラップトップ１と共に無線マウス４を移動させるように、ラウドスピーカ１６を介してユーザに注意喚起する。
【００３６】
電界強度の代わりとして、ビット誤り率もまた、ラップトップ１と無線マウス４との間の距離に依存する可変要素である。つまりＢＥＲの上昇は、ラップトップ１と無線マウス４とが互いに離されようとしている、従ってユーザが無線マウス４から離れようとしていることを示す。ＢＥＲの相対的または絶対的上昇は、検出器１２において検出できる。ＢＥＲの相対的または絶対的上昇を検出すると、検出器１２は、信号生成器１４を同様に作動させて、ユーザに警告する。一般的に、電界強度とビット誤り率という２つの可変要素をモニタする代わりに、これらの内の１つのみを検出器においてモニタできれば十分である。このような検出器は、図１に示す検出器１２と比較して、機能面において簡略化されたものである。
【００３７】
本発明の概念においては、検出器１２の出力信号が、破線で示すように、別の接続経路１７を介してベースバンドプロセッサ９へ戻されることも考えられる。この場合、ＢＥＲの上昇または電界強度の低下が検出されると、この検出情報がベースバンドプロセッサ９へ伝達される。そしてベースバンドプロセッサ９は、この情報を、戻り通信路を介してラップトップ１へ転送する。そして上記情報は、ラップトップ１内にある信号源を介してユーザに警告を発するために、ラップトップ１において利用される。
【００３８】
ＢＥＲの上昇または電界強度の低下が検出されると、ベースバンドプロセッサ９は、接続経路１７を介して、ブルートゥース対応の携帯電話へのブルートゥース接続をセットアップして、上記携帯電話内にある信号源を介してユーザへ警告を発するように同様に命令を受ける。この機能は、特にユーザへ警告を発するための信号源が無線マウス内に存在せず、かつラップトップ１の電源が切られている場合に使用することができる。
【００３９】
図２は、警告信号を生成するための別の構成を示す図であるが、当該構成は本発明の典型的な実施形態ではない。この構成では、機能面および構成面において同一の構成要素は、図１で用いられている符号と同一の符号によって識別されている。図１に示す第１の典型的な実施形態との相違点は、ラップトップ１と無線マウス４との接続が終了されたとき、この接続終了がベースバンドプロセッサ９において検出され、そして対応する検出回路１９が、接続終了を示す信号１８によって情報を受けるという点である。接続の終了は、ユーザがラップトップ１の電源を切り、ラップトップ１の電源が落ちた後に、ラップトップ１がおそらく移動されたことを示している。このような場合ユーザは、本発明に係る構成体によって、移動時に無線マウス４を忘れないように警告を受ける。接続の終了は、接続が実際に終了する前であっても、ラップトップ１からの標準規格の終了要求を送信することによって検出される。
【００４０】
図１および図２に示す手段を用いて説明した機能性のための回路は、多くの方法によって実現できる。例えば、本発明の概念において、ベースバンドプロセッサ、各検出器１２または１９、および発生器１４を１つのチップ上に集積することも考えられる。さらに、ベースバンドプロセッサ９のファームウェアにおけるソフトウェア機能として、各検出器１２または１９を集積することもできる。
【００４１】
さらに、図１および図２に示す構成体を組み合わせることができる。つまり、接続終了の判別を、電界強度の一定の低下および／またはビット誤り率の一定の上昇の判別と組み合わせて行うことができる。
【図面の簡単な説明】
【００４２】
【図１】本発明の第１の典型的な実施形態を示す図である。
【図２】警告信号を生成するための別の構成を示す図である。
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
２つのデバイス（１、４）のユーザに対して警告信号を生成する方法であって、
上記２つのデバイス（１、４）は、相互に無線通信するように構成されているとともに、第１のデバイス（４）は、ユーザと第２のデバイス（１）との間の入力および／または出力インターフェースとして機能するものであり、
ａ）上記２つのデバイスが通信している間に、信号強度または信号品質をモニタする工程であって、上記信号強度または上記信号品質は、それぞれ、停止している上記第１のデバイスと上記第２のデバイスとの間の距離によって影響を受ける可変要素（１０、１１）である工程と、
ｂ）上記２つのデバイス間の距離が大きくなったときに典型的に起こる、上記信号強度および／または上記信号品質の低下が、予め測定された、上記信号強度または信号品質の出力値に関する所定の値を下回ってそれぞれ生じたときに、上記ユーザに警告信号を出力する工程とを含むことを特徴とする方法。
【請求項２】
上記第１のデバイス（４）および上記第２のデバイス（１）は、無線ネットワークを介して相互に通信するように構成されていることを特徴とする請求項１に記載の方法。
【請求項３】
上記無線ネットワークによって、送信機としての上記第２のデバイス（１）と、受信機としての上記第１のデバイス（４）との信号伝送が可能になることを特徴とする請求項２に記載の方法。
【請求項４】
上記モニタする工程は、上記第１のデバイス（４）によって行われることを特徴とする請求項３に記載の方法。
【請求項５】
上記信号強度および／または上記信号品質は、それぞれ、上記モニタデバイスが受信する電界強度（１０）またはビット誤り率（１１）であることを特徴とする請求項２〜４のいずれか１項に記載の方法。
【請求項６】
上記警告信号を出力する工程は、上記第２のデバイス（１）によって行われることを特徴とする請求項２〜５のいずれか１項に記載の方法。
【請求項７】
上記警告信号を出力する工程は、上記第１のデバイス（４）によって行われることを特徴とする請求項３〜５のいずれか１項に記載の方法。
【請求項８】
上記工程ｂ）の前に、
上記信号強度および／または上記信号品質の低下が、予め測定された、上記信号強度または信号品質の出力値に関する所定の値を下回ってそれぞれ生じた場合に、第３のデバイス、特に携帯電話への接続をセットアップする工程が行われ、
上記警告信号を出力する工程は、上記第３のデバイスによって行われることを特徴とする請求項２〜５のいずれか１項に記載の方法。
【請求項９】
無線によって通信するように構成された上記デバイス（１、４）は、ブルートゥース規格に準拠して動作することを特徴とする請求項３〜８のいずれか１項に記載の方法。
【請求項１０】
ブルートゥース規格のＨＩＤプロファイルに準拠して、
上記第１のデバイス（４）は、ＨＩＤデバイスとして動作し、
上記第２のデバイス（１）は、ＨＩＤホストとして動作することを特徴とする請求項９に記載の方法。
【請求項１１】
上記第１のデバイスは、無線マウス（４）であり、
上記第２のデバイスは、携帯用コンピュータ、特にラップトップ（１）であることを特徴とする請求項１〜１０のいずれか１項に記載の方法。
【請求項１２】
２つのデバイス（１、４）のユーザに対して警告信号を生成する方法であって、
上記２つのデバイス（１、４）は、相互に無線通信するように構成されているとともに、第１のデバイス（４）は、ユーザと第２のデバイス（１）との間の入力および／または出力インターフェースとして機能するものであり、
ａ）停止している上記第１のデバイスと上記第２のデバイスとが接続していることを示す可変要素（１８）、および／または、停止している上記第１のデバイスと上記第２のデバイスとの間の距離によって影響を受ける可変要素（１０、１１）をモニタする工程と、
ｂ）上記第１のデバイスと上記第２のデバイスとが接続していることを示す上記可変要素（１８）が、接続が終了したときの典型的な動作を示したとき、および／または、上記２つのデバイス間の距離によって影響を受ける上記可変要素（１０、１１）が、上記第１のデバイスと上記第２のデバイスとの間の距離が大きくなったときの典型的な動作を示したときに、上記第１のデバイス（４）から第３のデバイス、特に携帯電話への接続をセットアップする工程と、
ｃ）上記第３のデバイスによって上記ユーザに警告信号を出力する工程とを含むことを特徴とする方法。
【請求項１３】
２つのデバイス（１、４）のユーザに対して警告信号を生成する構成体であって、
上記２つのデバイス（１、４）は、相互に無線通信するように構成されているとともに、第１のデバイス（４）は、ユーザと第２のデバイス（１）との入力および／または出力インターフェースとして機能するものであり、
ａ）上記２つのデバイスが通信している間に、信号強度および／または信号品質をモニタする手段（９、１２；９、１９）であって、上記信号強度または上記信号品質は、それぞれ、停止している上記第１のデバイスと上記第２のデバイスとの間の距離によって影響を受ける可変要素である、モニタする手段と、
ｂ）上記２つのデバイス間の距離が大きくなったときに典型的に起こる、上記信号強度および／または上記信号品質の低下が、予め測定された、上記信号強度または信号品質の出力値に関する所定の値を下回ってそれぞれ生じたときに、上記ユーザに警告信号を出力する出力手段（１４、１６）とを備えることを特徴とする構成体。
【請求項１４】
上記第１のデバイス（４）および上記第２のデバイス（１）は、無線ネットワークを介して相互に通信するように構成されていることを特徴とする請求項１３に記載の構成体。
【請求項１５】
上記無線ネットワークによって、送信機としての上記第２のデバイス（１）と、受信機としての上記第１のデバイス（４）との信号伝送が可能になることを特徴とする請求項１４に記載の構成体。
【請求項１６】
上記第１のデバイス（４）は、上記モニタする手段（９、１２；９、１９）を備えていることを特徴とする請求項１５に記載の構成体。
【請求項１７】
上記モニタする手段（９、１２；９、１９）は、上記モニタデバイスが受信した電界強度（１０）および／またはビット誤り率（１１）を測定するように構成されていることを特徴とする請求項１４〜１６のいずれか１項に記載の構成体。
【請求項１８】
上記第２のデバイスは、上記出力手段（１５、１６）を備えていることを特徴とする請求項１４〜１７のいずれか１項に記載の構成体。
【請求項１９】
上記第１のデバイスは、上記出力手段（１５、１６）を備えていることを特徴とする請求項１５〜１７のいずれか１項に記載の構成体。
【請求項２０】
上記信号強度および／または上記信号品質の低下が、予め測定された、上記信号強度または信号品質の出力値に関する所定の値を下回ってそれぞれ生じたときに、
上記第１のデバイス（４）または上記第２のデバイス（１）は、上記出力手段を備えた第３のデバイス、特に携帯電話、への接続をセットアップするように設計されていることを特徴とする請求項１４〜１７のいずれか１項に記載の構成体。
【請求項２１】
無線によって通信するように構成された上記デバイスは、ブルートゥース規格に準拠して動作することを特徴とする請求項１５〜２０のいずれか１項に記載の構成体。
【請求項２２】
して、
上記第１のデバイス（４）は、ブルートゥース規格のＨＩＤプロファイルに準拠したＨＩＤデバイスであり、
上記第２のデバイス（１）は、ブルートゥース規格のＨＩＤプロファイルに準拠したＨＩＤホストであることを特徴とする請求項２１に記載の構成体。
【請求項２３】
第１のデバイスは無線マウス（４）であり、
第２のデバイスは携帯用コンピュータ、特にラップトップ（１）であることを特徴とする請求項１３〜２２のいずれか１項に記載の構成体。
【請求項２４】
無線ネットワークを介して通信するように構成されている２つのデバイス（１、４）のユーザに対して警告信号を生成する構成体であって、
第１のデバイス（４）は、ユーザと第２のデバイス（１）との入力および／または出力インターフェースとして機能するものであり、
ａ）上記２つのデバイスが通信している間に、信号強度および／または信号品質をモニタする手段（９、１２；９、１９）であって、上記信号強度または上記信号品質は、それぞれ、停止している上記第１のデバイスと上記第２のデバイスとの間の距離によって影響を受ける可変要素である、モニタする手段と、
ｂ）上記ユーザに警告信号を出力するための出力手段を備えた第３のデバイス、特に携帯電話とを備えており、
上記２つのデバイス間の距離が大きくなったときに典型的に起こる、上記信号強度および／または上記信号品質の低下が、予め測定された、上記信号強度および／または信号品質の出力値に関する所定の値を下回ってそれぞれ生じたときに、上記第１のデバイス（４）は、上記第３のデバイスによって警告信号を出力するために、当該第３のデバイスへの接続をセットアップすることを特徴とする構成体。
【国際調査報告】
2007508627.tif 000005
2007508627.tif 000006
2007508627.tif 000007
2007508627.tif 000008
2007508627.tif 000009
2007508627.tif 000010